(57)【要約】【課題】収納されている物品を収納空間から取り出し易いものとなる収納容器を提供する。【解決手段】底面とその底面に連なる周壁面とにより上部が開口された収納空間を形成する収納部本体と、その収納部本体の上部開口を開閉自在な蓋体とを備えて構成され、底面が、所定の第１方向並びに第１方向と交差する第２方向の夫々に沿って凹部５と凸部６とが交互に並ぶ形態で且つ凹部５と凸部６とが千鳥状に配置される形態で凹凸面に形成されている。【選択図】図４
2011207495.tif 000002
【特許請求の範囲】
【請求項１】
底面とその底面に連なる周壁面とにより上部が開口された収納空間を形成する収納部本体と、その収納部本体の上部開口を開閉自在な蓋体とを備えて構成されている収納容器であって、
前記底面が、所定の第１方向並びに前記第１方向と交差する第２方向の夫々に沿って凹部と凸部とが交互に並ぶ形態で且つ前記凹部と前記凸部とが千鳥状に配置される形態で凹凸面に形成されている収納容器。
【請求項２】
前記底面を前記第１方向に沿って複数に分割した帯状の底面分割領域の夫々が、その底面分割領域の長手方向に沿って前記凹部と前記凸部とが交互に並ぶ状態で波面状に形成され、
複数の前記底面分割領域の夫々において、隣接する底面分割領域との間で前記長手方向に互いに位置をずらした状態で前記凹部と前記凸部とが形成されて、前記凹部と前記凸部とが千鳥状に配置されるものである請求項１記載の収納容器。
【請求項３】
複数の前記底面分割領域の夫々が、前記凹部と前記凸部とが交互に並ぶ状態で且つ滑らかな曲面を描く状態で波面状に形成されている請求項２記載の収納容器。
【請求項４】
前記底面が幅狭の辺と幅広の辺とを有する長方形状に形成され、
前記第１方向が前記底面の幅狭の辺に沿う方向に、且つ、前記第２方向が前記底面の幅広の辺に沿う方向に夫々設定されている請求項２又は３記載の収納容器。
【請求項５】
前記底面分割領域の前記凹部が形成される箇所と、それに隣接する底面分割領域における前記凸部が形成される箇所との境界部分に、前記周壁面に沿う縦壁面が形成されている請求項２〜４のいずれか１項に記載の収納容器。
【請求項６】
前記底面を形成する底板部の容器外方側の表面の少なくとも一部が平坦面に形成されている請求項１〜５のいずれか１項に記載の収納容器。
【発明の詳細な説明】
【技術分野】
【０００１】
本発明は、底面とその底面に連なる周壁面とにより上部が開口された収納空間を形成する収納部本体と、その収納部本体の上部開口を開閉自在な蓋体とを備えて構成されている収納容器に関する。
【背景技術】
【０００２】
上記収納容器は、収納空間内に、例えば、作業車の修理点検作業等に用いられる工具等の各種の物品を収納するような場合に用いられるものであるが、従来の収納容器では、収納空間を形成する底面が平坦面に形成されていた（例えば、特許文献１参照。）。
【先行技術文献】
【特許文献】
【０００３】
【特許文献１】特開２００２−１８６５１２号公報
【発明の概要】
【発明が解決しようとする課題】
【０００４】
上記従来構成では、収納容器に収納される物品として、手で取り出し易い物品を収納する場合には問題はないが、収納容器には工具以外に、例えば工具を用いた作業に付随するネジやナットあるいは座金などの小物物品を収納する場合があり、このような小物物品が収納されている場合には物品を収納容器から取り出し難い場合があった。
【０００５】
すなわち、上記したような小物物品等が収納容器内に収納されているときに、使用者が収納容器内に手を挿入して物品を取り出すために、物品を手指で掴もうとしても、底面が平坦面であれば、物品の外周部と底面との間に手指の先端を入れるための隙間が小さい又は殆ど隙間の無い状態となるので、手指で物品を掴むことが難しくなり、物品を収納容器から取り出し難いものとなる。
【０００６】
特に、工具等を用いて作業を行う場合、作業者は手に軍手等の手袋を装着した状態で作業を行う場合が多く、このように軍手等の手袋を装着した状態であれば、特に物品の取り出しが行い難いものである。
【０００７】
ところで、上述したように物品の取り出しが行い難い場合には、収納容器全体を持ち上げてひっくり返して収納されている物品を取り出すことが可能となるものであるが、収納容器が、作業車等に位置固定状態で取り付けられているような場合には、収納容器全体を持ち上げてひっくり返して収納されている物品を取り出すことが出来ないので、上述した小物物品のような手で掴み難い物品の取り出しがさらに行い難いものとなるおそれがあった。
【０００８】
本発明の目的は、収納されている物品を収納空間から取り出し易いものとなる収納容器を提供する点にある。
【課題を解決するための手段】
【０００９】
本発明に係る収納容器は、底面とその底面に連なる周壁面とにより上部が開口された収納空間を形成する収納部本体と、その収納部本体の上部開口を開閉自在な蓋体とを備えて構成されているものであって、その第１特徴構成は、前記底面が、所定の第１方向並びに前記第１方向と交差する第２方向の夫々に沿って凹部と凸部とが交互に並ぶ形態で且つ前記凹部と前記凸部とが千鳥状に配置される形態で凹凸面に形成されている点にある。
【００１０】
第１特徴構成によれば、例えばナットや座金等の手で掴み難い物品が収納容器内に収納されているような場合であっても、前記底面が、所定の第１方向並びに前記第１方向と交差する第２方向の夫々に沿って凹部と凸部とが交互に並ぶ状態で凹凸面に形成されており、物品が凹部に入り込む状態で底面に存在していても、その凹部の横側には凸部が形成されることになるので、物品が凹部と凸部とにわたって載置された状態で存在することが多くなる。その結果、凹部と凸部との間の底面の屈曲部分において、物品との間に隙間が形成されることになり、手指にて物品を掴み易いものとなる。
【００１１】
ところで、凹部と凸部とが交互に並ぶ状態で凹凸面に形成されていても、それらが千鳥状ではなく、例えば、図２２に示すように、底面に所定の第１方向並びに第１方向と交差する第２方向の夫々に沿って整然と列状に並ぶ状態で複数の凸部６を設け、凸部６同士の間の低い領域で凹部５を形成するような場合であれば、物品を取り出し難いものとなるおそれがある。
【００１２】
説明を加えると、図２２に示すような構成であれば、凹部５が第１方向及び第２方向の夫々に沿って連続して形成される領域Ａが存在することになり、例えば、物品が、凹部５内に収まった状態で載置されるような小形の物品であれば、凹部５内に収まった状態で載置される物品を手指で掴もうとしても、物品が長く連続する凹部５に沿って逃げてしまい掴み難いものとなるおそれがある。
【００１３】
これに対して、第１特徴構成によれば、底面は凹部と凸部とが千鳥状に配置される形態で凹凸面に形成されているから、凹部が連続して長く形成されることがなく、凹部内に収まった状態で載置される物品を手指で掴もうとしたときに物品が横にずれることがあっても、いずれの方向にずれても凸部が存在するので、物品が凹部と凸部との間の底面の屈曲部分において物品との間に隙間が形成されることになり、手指にて物品を掴み易いものとなる。
【００１４】
その結果、手で掴み難い物品が収納容器内に収納されているような場合であっても、物品と底面との間に隙間が形成されて手指にて物品を掴み易いものとなって、収納されている物品を収納空間から外部に取り出し易いものとなる。
【００１５】
本発明の第２特徴構成は、第１特徴構成に加えて、前記底面を前記第１方向に沿って複数に分割した帯状の底面分割領域の夫々が、その底面分割領域の長手方向に沿って前記凹部と前記凸部とが交互に並ぶ状態で波面状に形成され、複数の前記底面分割領域の夫々において、隣接する底面分割領域との間で前記長手方向に互いに位置をずらした状態で前記凹部と前記凸部とが形成されて、前記凹部と前記凸部とが千鳥状に配置されるものである点にある。
【００１６】
第２特徴構成によれば、底面を第１方向に沿って複数に分割された帯状の底面分割領域が、長手方向に沿って凹部と凸部とが交互に並ぶ状態で波面状に形成されることにより、凹部と凸部とが千鳥状に配置される形態で凹凸面に形成されることになる。
そして、複数の底面分割領域の夫々において、凹部と凸部との間の底面の屈曲部分と物品との間に隙間が形成されるので、手指にて物品を掴み易いものとなる。
【００１７】
本発明の第３特徴構成は、第２特徴構成に加えて、複数の前記底面分割領域の夫々が、前記凹部と前記凸部とが交互に並ぶ状態で且つ滑らかな曲面を描く状態で波面状に形成されている点にある。
【００１８】
第３特徴構成によれば、複数の底面分割領域の夫々は、その長手方向に沿って凹部と凸部とが交互に並ぶ状態で且つ滑らかな曲面を描く状態で波面状に形成されているから、手で掴み難い物品が収納容器内に収納されている場合、その物品を滑らかな曲面を描く状態で波面状に形成されている底面分割領域の長手方向に沿って押しながら移動させることができる。
【００１９】
その結果、収納している物品を作業者が取り出し易い位置まで移動させた状態で、物品と底面との間に形成されて手指にて物品を掴み易いものとなって、収納している物品を収納空間から外部に取り出し易いものになる。
【００２０】
本発明の第４特徴構成は、第２特徴構成又は第３特徴構成に加えて、前記底面が幅狭の辺と幅広の辺とを有する長方形状に形成され、前記第１方向が前記底面の幅狭の辺に沿う方向に、且つ、前記第２方向が前記底面の幅広の辺に沿う方向に夫々設定されている点にある。
【００２１】
第４特徴構成によれば、帯状の底面分割領域の長手方向を底面の幅広の辺に沿う方向を沿わせた状態で凹部と凸部とが交互に並ぶ状態で波面状に形成するので、収納している物品を作業者が底面分割領域の長手方向に沿って取り出し易い位置まで移動させることを一層的確に行い易いものとなる。
【００２２】
従って、長方形状に形成される底面の構成を有効利用して、収納されている物品を収納空間からより一層取り出し易いものにできる。
【００２３】
本発明の第５特徴構成は、第２特徴構成〜第４特徴構成のいずれかに加えて、前記底面分割領域の前記凹部が形成される箇所と、それに隣接する底面分割領域における前記凸部が形成される箇所との境界部分に、前記周壁面に沿う縦壁面が形成されている点にある。
【００２４】
第５特徴構成によれば、手で掴み難い物品が底面分割領域の凹部に位置している場合、凹部内に収まった状態で載置される物品を手指で掴もうとしたときに、掴みきれずに物品が横ずれして逃げると、物品はその底面分割領域の凹部内を移動するが、その凹部の端部に至ると、隣接する底面分割領域との境界部分に形成される縦壁面によって物品のそれ以上の横ずれを阻止することができる。
【００２５】
このように横ずれを阻止した状態で、物品を底面分割領域の長手方向に押し移動させると、凹部と凸部との間の底面の屈曲部分において、物品との間に隙間が形成されて、手指にて物品を掴み易いものとなる。
【００２６】
従って、物品を手指で掴もうとしたときに物品が横ずれして逃げることがあっても、縦壁面にて物品の横ずれを阻止した状態で手指にて物品を掴み易いものとなって、収納している物品を収納空間から外部に取り出し易いものにできる。
【００２７】
本発明の第６特徴構成は、第１特徴構成〜第５特徴構成のいずれかに加えて、前記底面を形成する底板部の容器外方側の表面の少なくとも一部が平坦面に形成されている点にある。
【００２８】
収納容器を支持台に載置して支持させる場合、収納容器を支持する支持台の被載置面は平坦面に形成されることが一般的であるが、第６特徴構成によれば、このような平坦な被載置面に底板部の容器外方側の表面の平坦面に形成されている箇所を載置させた状態で支持させることにより、収納容器を安定的に載置支持することができる。
【図面の簡単な説明】
【００２９】
【図１】収納容器の斜視図である。
【図２】収納容器の一部切欠正面図である。
【図３】収納容器の平面図である。
【図４】収納容器の横断平面図である。
【図５】収納容器の一部切欠側面図である。
【図６】収納容器の縦断側面図である。
【図７】収納容器の一部切欠正面図である。
【図８】収納容器の一部切欠側面図である。
【図９】トラクタへの装着状態を示す平面図である。
【図１０】別実施形態の収納容器の一部切欠正面図である。
【図１１】別実施形態の収納容器の一部切欠正面図である。
【図１２】別実施形態の収納容器の一部切欠正面図である。
【図１３】別実施形態の収納容器の横断平面図である。
【図１４】別実施形態の収納容器の一部切欠平面図である。
【図１５】別実施形態の収納容器の一部切欠正面図である。
【図１６】別実施形態の収納容器の一部切欠平面図である。
【図１７】別実施形態の収納容器の一部切欠平面図である。
【図１８】別実施形態の収納容器の横断平面図である。
【図１９】別実施形態の収納容器の一部切欠平面図である。
【図２０】別実施形態の収納容器の一部切欠平面図である。
【図２１】別実施形態の収納容器の一部切欠正面図である。
【図２２】比較例の収納容器の一部切欠平面図である。
【発明を実施するための形態】
【００３０】
以下、図面に基づいて、本発明に係る収納容器について説明する。
図１及び図２に本発明に係る収納容器Ｙを示している。この収納容器Ｙは、底面１とその底面１に連なる周壁面２とにより上部が開口された収納空間Ｒを形成する収納部本体３と、その収納部本体３の上部開口Ｋを開閉自在な蓋体４とを備えて構成されている。
【００３１】
この収納容器Ｙは、例えば、トラクターに固定状態で取り付けられて、トラクターの修理点検作業等に用いられる工具を収納するように構成されている。尚、この収納容器Ｙには、工具を用いた作業に付随するネジ、ナット、座金などの小物物品も合せて収納されることがある。
【００３２】
次に、収納容器Ｙの具体的な構成について説明を加える。
図１〜図６に示すように、収納部本体３及び蓋体４は、ポリプロピレン（ＰＰ）等の一般的な材質の合成樹脂材で一体的に成形されて構成され、平面視で長方形状の収納空間Ｒを備えており、底面１も平面視で長方形状に形成されている。ちなみに、収納部本体３と蓋体４との接続部分は肉厚を薄くしてあり、蓋体４が収納部本体３の上部開口を閉じる状態と開放する状態とに折り曲げ操作可能に接続されて、この接続部によりヒンジ部８が形成されている。
【００３３】
この収納容器Ｙの収納空間Ｒの大きさは、図４に示すように、幅広方向（長手方向）の幅Ｌ１が約３３０ｍｍであり、幅狭方向の幅Ｌ２が約１００ｍｍ程度を有する大きさであり、工具として、例えば、ハンマーやスパナ、モンキーレンチ等を収容することができるような大きさに設定されている。
【００３４】
図１、図３及び図５に示すように、蓋体４のヒンジ部８が形成される箇所とは反対側の箇所、つまり、揺動端側の箇所には、蓋体４を閉じたときに、収納部本体３の上部開口Ｋの縁部に形成された被係合部９に弾性的に係合して蓋体４を閉じ状態にて保持する弾性係合部１０が、長手方向に間隔をあけて２箇所形成されている。蓋体４を開放させるときには、弾性係合部１０を手動操作にて被係合部９との係合を解除して、蓋体４を開けることができるように構成されている。
【００３５】
図１、図３及び図６に示すように、収納部本体３の上部開口Ｋの周縁部及び蓋体４の揺動端側の箇所には、夫々、長手方向の中央部に上下方向に貫通する貫通孔１１が形成されたロック具装着部１２が形成されており、蓋体４を閉めた状態でロック具装着部１２の夫々の挿通孔１１に沿ってロック用の鍵（図示せず）を装着して防犯のためにロックしておくことができる。
【００３６】
図２、図４及び図６に示すように、底面１の長手方向の中央部には、長手方向に沿って所定幅を有し且つ長手方向と直交する幅狭方向の全幅にわたる状態で、略門形に上方に突出するように屈曲し且つ平板状に設けられているステー取付部１３が形成されている。又、このステー取付部１３における底面１の長手方向両側に取付用のボルト１４が挿通するボルト挿通孔１５が夫々形成されている。又、底面１が形成される底板部１９の容器外方側の表面のうち、前記ステー取付部１３が対応する箇所は、平坦面に形成されている。
【００３７】
従って、この収納容器Ｙをトラクターに固定状態で取り付ける場合には、図１及び図９に示すように、トラクターの運転座席Ｓの後方に機体横向きに延びる横向きフレーム１６の上部に、例えば低速走行用車両であることを表示する表示具Ｈを支持するための支持ステー１７が設けられており、この支持ステー１７に収納容器Ｙのステー取付部１３を上方側から当て付けて、収納部本体３の収納空間Ｒ側から取付用のボルト１４をボルト挿通孔１５を通して横向きフレーム１６に締め付け固定することで、収納容器Ｙをトラクターに固定状態で取り付けることができるように構成されている。
【００３８】
底面１が形成される底板部１９の容器外方側の表面のうちステー取付部１３が対応する箇所は平坦面に形成されているから、収納容器Ｙを支持ステー１７の上面に安定的に載置支持させることができる。
【００３９】
そして、ステー取付部１３の長手方向両側に位置する両側底面部分１Ａ，１Ｂには、底面１の幅狭方向（図４の紙面上下方向）（第１方向に相当）に沿って複数に分割した帯状の底面分割領域７の夫々が、その底面分割領域７の長手方向（図４の紙面左右方向）（第２方向に相当）に沿って凹部５と凸部６とが交互に並ぶ状態で波面状に形成されている。
【００４０】
具体的には、図４、図７及び図８に示すように、両側底面部分１Ａ，１Ｂを底面１の幅狭方向に沿って５個に分割した底面分割領域７の夫々が、凹部５と凸部６とが交互に並ぶ状態で且つ滑らかな曲面を描く状態で波面状に形成されている。又、５個の底面分割領域７の夫々において、隣接する底面分割領域７との間で長手方向に互いに位置をずらした状態で凹部５と凸部６とが形成されて、両側底面部分１Ａ，１Ｂにおいては、凹部５と凸部６とが千鳥状に配置される構成となっている。
尚、図４では、複数の底面分割領域７の夫々において、凸部６の最も高い部分を実線にて表し、各実線（凸部６）同士で挟まれる領域に凹部５が形成される状態を表している。
【００４１】
底面１の凹凸形状について説明を加えると、前記各底面分割領域７においては、凹部５と凸部６とが一定ピッチで交互に繰り返す状態で形成され、隣接する底面分割領域７との間で長手方向に互いに半ピッチずつ位置をずらした状態で凹部５と凸部６とが形成されている。つまり、１つの底面分割領域７の凹部５の幅狭方向両側に隣接する箇所には、隣接する底面分割領域７における凸部６が存在するのであり、凹部５が連続して形成されることはなく、凹部５と凸部６とが千鳥状に配置されることになる。
【００４２】
しかも、図８に示すように、底面分割領域７の凹部５が形成される箇所と、それに隣接する底面分割領域７における凸部６が形成される箇所との境界部分に、周壁面２に沿う縦壁面１８が形成されている。
【００４３】
前記各底面分割領域７においては長手方向に沿って凹部５と凸部６とが交互に並ぶ状態で形成されるが、その繰り返し周期（ピッチ）、すなわち、交互に形成される凸部６の先端部同士あるいは凹部５の最底部同士の間隔ｐｔは、約３０ｍｍに設定されている。又、底面１が形成される底板部１９の板厚は底面１全域にわたり約３ｍｍであり、凹部５と凸部６との高低差は約２ｍｍである。
【００４４】
従って、この収納容器Ｙは、収納部本体３における底面１が、所定の第１方向並びに前記第１方向と直交する第２方向の夫々に沿って凹部５と凸部６とが交互に並ぶ形態で且つ前記凹部５と前記凸部６とが千鳥状に配置される形態で凹凸面に形成され、又、前記第１方向が前記底面１の幅狭の辺に沿う方向に、且つ、前記第２方向が前記底面１の幅広の辺に沿う方向に夫々設定されており、底面１を第１方向に沿って複数に分割した帯状の底面分割領域７の夫々が、その底面分割領域７の長手方向に沿って前記凹部５と前記凸部６とが交互に並ぶ状態で波面状に形成され、複数の前記底面分割領域７の夫々において、隣接する底面分割領域７との間で前記長手方向に互いに位置をずらした状態で前記凹部５と前記凸部６とが形成されて、凹部５と凸部６とが千鳥状に配置されるものである。
【００４５】
このように構成されているから、例えば、座金等の手で掴み難い物品が収納されている場合であっても、凹部５と凸部６との間の底面１の屈曲部分と物品との間に隙間が形成されて手指にて物品を掴み易いものになる。
【００４６】
又、底面分割領域７の凹部５に入り込んで収納されるような小物の物品が存在している場合には、手指で掴もうとしても物品が凹部５内を幅狭方向に沿って逃げて横方向に移動することがあるが、縦壁面１８にて受止めたのち物品を長手方向に位置をずらすことで、凹部５と凸部６との間の底面１の屈曲部分と物品との間に隙間が形成されて、手指にて物品を掴み易いものとなる。
【００４７】
〔別実施形態〕
（１）上記実施形態では、底面１が形成される底板部１９が板厚が約３ｍｍで底面１の全面にわたり略一定になる状態で形成され、凹部５と凸部６とが形成される両側底面部分１Ａ，１Ｂにおける底板部１９の容器外方側の表面は、底面１における凹凸形状と同じような凹凸形状に形成される構成となっていたが、このような構成に代えて、図１０に示すように、前記両側底面部分１Ａ，１Ｂの容器外方側の表面を平坦面に形成してもよい。
【００４８】
この構成では、合成樹脂材で一体成形される底板部１９は、凹部５が形成される箇所では薄くなるが、凸部６が形成される箇所では厚みが厚くなるので、それだけ強度を向上させることが可能となる。しかも、収納容器Ｙをトラクターの横向きフレーム１６に取り付けるときに、底板部１９の容器外方側の平坦な表面を横向きフレーム１６上に載置させることにより、安定的に支持させた状態で取り付けることができる。
【００４９】
（２）上記実施形態では、凹部５と凸部６とが交互に並ぶ状態で且つ滑らかな曲面を描く状態で波面状に形成されているものを例示したが、このような構成に代えて、例えば、図１１に示すように、台形状となる凸部６と逆向きの台形状となる凹部５とが交互に並ぶ状態で波面状に形成されるもの、又、図１２に示すように、矩形状の凸部６と凹部５とが交互に並ぶ状態で波面状に形成されるもの等、種々の形態の凹凸形状を用いることができる。
【００５０】
（３）上記実施形態では、底面１の幅狭方向に沿って複数に分割した帯状の底面分割領域７の夫々が、その底面分割領域７の長手方向に沿って凹部５と凸部６とが交互に並ぶ状態で波面状に形成されるものを例示したが、このような構成に代えて、例えば、図１３に示すように、底面１の長手方向及び幅狭方向の夫々に対して斜めに交差する第１の方向Ｄ１を前記第１方向として設定し、その第１の方向Ｄ１と直交する第２の方向Ｄ２を第２方向として設定して、底面１を第１の方向Ｄ１に沿って複数に分割した帯状の底面分割領域７の夫々が、第２の方向Ｄ２に沿って凹部５と凸部６とが交互に並ぶ状態で波面状に形成されるものでもよい。
【００５１】
（４）上記実施形態では、凹部５と凸部６とを交互に並ぶ状態で波面状に形成するにあたり、複数の凸部６の高さが互いに異なるものや複数の凹部５の凹入深さが互いに異なるものを組み合わせた形状、凹部５と凸部６との間で形成される曲面の曲率半径を異ならせた形状、凹部５と凸部６とが交互に形成されるときの繰り返しピッチを隣接する底面分割領域７同士で異ならせる形態で凹凸状に形成したもの等、種々の形状のもので構成することができる。
要するに、図２２に示すような凹部５が連続して形成される領域Ａが存在しないように、凹部５と前記凸部６とが千鳥状に配置される形態で凹凸面に形成されるものであればよい。
【００５２】
（５）上記実施形態では、凹部５と凸部６とが交互に並ぶ状態で波面状に形成されているものを例示したが、このような構成に代えて、次のように構成してもよい。
【００５３】
図１４及び図１５に示すように、上部が平坦面を有する円形状の凸部６を所定の第１方向並びに第１方向と直交する第２方向の夫々に沿って所定間隔を開けて並ぶ形態で且つ千鳥状に配置される形態で形成して、凸部６同士の間の底部にて凹部５を形成する状態で凹凸面に形成してもよい。
【００５４】
そして、前記凸部６の形状として、円形状の他、円錐形状、四角錐形状、三角錐形状等の種々の形状の突起を形成して凹凸面に形成してもよい。
【００５５】
又、図１６に示すように、平面視で矩形状の複数の凸部６を略ハの字状に配置する状態で並べて、且つ、凸部６同士の間の底部にて凹部５を形成して、凹部５と凸部６とが千鳥状に配置される形態で凹凸面に形成されるものでもよい。
尚、図１６に示すものは、収納容器Ｙの底面１が、第１方向（図１６の紙面左右方向）並びに第２方向（図１６の紙面上下方向）の夫々に沿って凸部６とその凸部６同士の間の底部にて形成される凹部５とが交互に並ぶ形態で、且つ、凹部５と凸部６とが千鳥状に配置される形態で、凹凸面に形成されるものである。
【００５６】
（６）上記実施形態では、底面１が、所定の第１方向並びに第１方向と直交する、すなわち、９０度傾斜する方向に沿う第２方向の夫々に沿って凹部と凸部とが交互に並ぶ形態で且つ凹部と凸部とが千鳥状に配置される形態で凹凸面に形成されているものを示したが、この構成に代えて、所定の第１方向並びに第１方向に対して９０度よりも大きい角度で傾斜する第２方向の夫々に沿って凹部５と凸部６とが交互に並ぶ形態で且つ凹部５と凸部６とが千鳥状に配置される形態で凹凸面に形成されるものであってもよい。
【００５７】
例えば、凸部６同士の間の底部にて凹部５を形成する状態で凹凸面に形成する場合を例にして説明すると、図１７に示すように、上部が平坦面を有する円形状の凸部６を、所定の第１方向Ｄ３並びに第１方向Ｄ３に対して９０度よりも大きい角度で傾斜する第２方向Ｄ４の夫々に沿って所定間隔を開けて並ぶ形態で且つ千鳥状に配置される形態で形成して、凸部６同士の間の底部にて凹部５を形成する状態で凹凸面に形成するものであってもよい。
【００５８】
（７）上記実施形態では、底面１の長手方向の中央部にステー取付部１３が形成されるものを例示したが、このようなステー取付部１３を形成せずに、図１８に示すように、底面１の全域において、凹部５と凸部６とが交互に並ぶ形態で且つ凹部５と凸部６とが千鳥状に配置される形態で凹凸面に形成される構成としてもよい。
【００５９】
（８）上記実施形態では、収納容器Ｙを合成樹脂材にて一体成形して構成するものを例示したが、これに代えて、収納容器Ｙを金属材にて構成するものでもよい。
【００６０】
（９）上記収納容器Ｙの底面１の凹凸形状として、次のように構成するものでもよい。
図１９に示すように、平面視で菱形に形成された凸部６が第１方向（紙面左右方向）並びに第１方向と直交する第２方向（紙面上下方向）の夫々に沿って並ぶ形態で設けられ、それら各凸部６は第１方向並びに第２方向の夫々において菱形の先端部同士が接する状態で形成され、凸部６同士の間の底部にて凹部５を形成する状態で凹凸面が形成される。
【００６１】
図２０及び図２１に示すように、底面１を第１方向に沿って複数に分割した帯状の底面分割領域７の夫々が、その底面分割領域７の長手方向に沿って凹部５と凸部６とが交互に並ぶ状態で波面状に形成されるものであり、複数の底面分割領域７に、少なくとも隣接するもの同士の凹部５と凸部６とが前記長手方向に交互に並ぶときの繰り返し周期（ピッチ）を互いに異ならせる形態で凹凸面が形成される。
【００６２】
説明を加えると、図２０及び図２１に示すものでは、第１方向（紙面上下方向）の両側端部に位置する底面分割領域７の繰り返し周期が最も短い最短周期ｐｔ１であり、それに隣接する底面分割領域７の繰り返し周期ｐｔ２は最短周期ｐｔ１の２倍であり、第１方向の幅方向中央に位置する底面分割領域７の繰り返し周期ｐｔ３は最短周期ｐｔ１の４倍となるように繰り返し周期（ピッチ）を異ならせる形状としている。
【産業上の利用可能性】
【００６３】
本発明は、例えば、工具や工具の使用に付随するネジ、ナット、座金等の小物物品等を収納するための収納容器に適用できる。
【符号の説明】
【００６４】
１          底面
１Ａ，１Ｂ  両側底面部分
２          周壁面
３          収納部本体
４          蓋体
５          凹部
６          凸部
７          底面分割領域
１８        縦壁面
１９        底板部
Ｋ          上部開口
Ｒ          収納空間
【図１】
2011207495.tif 000003
【図２】
2011207495.tif 000004
【図３】
2011207495.tif 000005
【図４】
2011207495.tif 000006
【図５】
2011207495.tif 000007
【図６】
2011207495.tif 000008
【図７】
2011207495.tif 000009
【図８】
2011207495.tif 000010
【図９】
2011207495.tif 000011
【図１０】
2011207495.tif 000012
【図１１】
2011207495.tif 000013
【図１２】
2011207495.tif 000014
【図１３】
2011207495.tif 000015
【図１４】
2011207495.tif 000016
【図１５】
2011207495.tif 000017
【図１６】
2011207495.tif 000018
【図１７】
2011207495.tif 000019
【図１８】
2011207495.tif 000020
【図１９】
2011207495.tif 000021
【図２０】
2011207495.tif 000022
【図２１】
2011207495.tif 000023
【図２２】
2011207495.tif 000024